(57)【要約】【課題】ブラインドなどの水平状態を維持できるブラインド用ブラケットを提供する。【解決手段】ブラケット１０は、係止部材となるスライド部材１、ブラケット本体２、及び、調整装置３１を備える。スライド部材１は、ブラインドＢｎｄを吊り下げた支持枠８ａを係止できる可動爪１ｎを有する。ブラケット本体２は、可動爪１ｎと協働して、支持枠８ａを着脱自在に支持する爪部２１ｎを有する。調整装置３１は、固定面Ｆｓに対して、ブラケット本体２の水平度を調整できる。調整装置３１は、第１部材３１ｆ、第２部材３１ｍ、及び、複数のダイヤルノブ３１ｄを備える。第１部材３１ｆは、ねじ部材３１ｓを回転自在に立設している。ねじ部材３１ｓに固定したダイヤルノブ３１ｄを回転操作し、ダイヤルノブ３１ｄの回転量を互いに異ならせることで、第２部材３１ｍに対して、第１部材３１ｆを傾動できる。【選択図】図１
2019132006.tif 000002
【特許請求の範囲】
【請求項１】
ブラインドを少なくとも含む遮蔽部材を吊り下げた支持枠を係止自在な係止部材と、
前記係止部材と協働して、前記支持枠を着脱自在に支持するブラケット本体と、
窓枠の上面又は天井を含む固定面に対して、前記ブラケット本体の水平度を調整自在な調整装置と、を備えている、ブラインド用ブラケット。
【請求項２】
前記調整装置は、前記固定面に対して、前記ブラケット本体の傾斜角度、又は、前記ブラケット本体の離間距離を変更するための操作手段を備えている、請求項１記載のブラインド用ブラケット。
【請求項３】
前記調整装置は、前記操作手段の回転運動をねじ部材との螺旋運動により直線運動に変換する単一ねじ機構を備え、
前記単一ねじ機構は、中心部を前記ねじ部材の雄ねじ部に固定したダイヤルノブを有し、
前記ダイヤルノブを回転することで、前記ブラケット本体に配置された第１部材を前記固定面に配置された第２部材に対して、進退自在又は傾動自在に移動させる、請求項２記載のブラインド用ブラケット。
【請求項４】
前記調整装置は、前記操作手段の回転運動をねじ部材との螺旋運動により直線運動に変換する単一ねじ機構と、
前記単一ねじ機構の直線運動の移動方向を前記直線運動の移動方向と交差する方向に移動させるくさび部材と、を備え、
前記くさび部材は、前記ブラケット本体に配置された第１部材を前記固定面に配置された第２部材に対して、進退自在又は傾動自在に移動させる、請求項２記載のブラインド用ブラケット。
【請求項５】
前記調整装置は、前記第２部材と前記くさび部材が相互に連動する複数の連動機構を備え、
これらの連動機構は、前記操作手段を互いに独立して操作できる、請求項４記載のブラインド用ブラケット。
【請求項６】
前記ブラケット本体と前記調整装置を別体で構成している、請求項１から５のいずれかに記載のブラインド用ブラケット。
【請求項７】
締結部材を用いて、ブラケット本体、及び、前記ブラケット本体の水平度を調整自在な調整装置を窓枠の上面又は天井を含む固定面に固定する第１工程と、
ブラインドを少なくとも含む遮蔽部材を吊り下げた支持枠を、前記ブラケット本体及び係止部材を用いて支持する第２工程と、
前記調整装置に備わる操作手段を操作して、前記固定面に対して、前記ブラケット本体の傾斜角度、又は、前記ブラケット本体の離間距離を変更する第３工程と、を含んでいる、ブラインド用ブラケットの固定方法。
【発明の詳細な説明】
【技術分野】
【０００１】
本発明は、ブラインド用ブラケットに関する。特に、ブラインドの上部に取り付けたヘッドボックスなどの支持枠を着脱自在に支持すると共に、窓枠の上面又は天井に固定できるブラインド用ブラケットの構造に関する。
【背景技術】
【０００２】
ブラインドは、一般に、窓の内側に配置されている。ブラインドは、外から室内が見えないように窓を覆い隠すことができ、太陽光又は風を遮ることができる。ブラインドは、スラットと呼ばれる細長い複数の帯板をラダーコードで繋いでいる。又、ブラインドは、チルトポール（操作棒）又は操作コードを操作することで、複数のスラットの傾斜角度を一斉に調整できる。これにより、ブラインドは、外界の光の採り入れを任意に調整すると共に室外からの熱の入流や視線をカットすることができる。
【０００３】
ブラインドは、支持枠としてＣ形チャンネル状のヘッドボックスを上部に取り付けている。ヘッドボックスは、複数のラダーコードを介して、複数のスラットを吊り下げている。又、ヘッドボックスは、チルトポール又は操作コードを介して、スラットを角度調整するためのメカニズムを内部に配置している。ブラケットと呼ばれる支持金具で、ヘッドボックスを二点以上支持すると共に、ブラケットを窓枠の上面又は天井に固定することで、ブラインドを窓の内側に配置できる。
【０００４】
このような、ブラインド用ブラケットとしては、専用の治具を用いることなく、簡単な操作によって、ヘッドボックスに着脱自在なブラインド用ブラケットが開示されている（例えば、特許文献１参照）。
【先行技術文献】
【特許文献】
【０００５】
【特許文献１】実開昭６３−１１６６９８号公報
【発明の概要】
【発明が解決しようとする課題】
【０００６】
図１７は、従来技術によるブラインド用ブラケットの構成を示す左側面図であり、図１７（Ａ）は、ブラケットに対してヘッドボックスを取り付けた状態図、図１７（Ｂ）は、ブラケットからヘッドボックスを取り外す過程の状態図である。図１８は、従来技術によるブラインド用ブラケットの構成を示す斜視分解組立図である。
【０００７】
なお、図１７（Ａ）、図１７（Ｂ）、及び、図１８は、特許文献１の第１図から第３図に相当している。
【０００８】
図１７又は図１８を参照すると、従来技術によるブラインド用ブラケット（以下、ブラケットと略称する）９は、Ｌ字状に屈曲したブラケット本体９１、帯板状のスライド部材９２、及び、圧縮コイルばね９３を備えている。
【０００９】
図１７又は図１８を参照すると、ブラケット本体９１は、折り曲げ加工自在なステンレスなどの金属板からなり、上面板９１ｈと背面板９１ｖを有している。上面板９１ｈと背面板９１ｖは、略直角に折り曲げている。上面板９１ｈは、対向する一対の第１折り曲げ片９１１・９１１で側面を構成している。同様に、背面板９１ｖは、対向する一対の第２折り曲げ片９１２・９１２で側面を構成している。
【００１０】
図１８を参照すると、上面板９１ｈは、丸穴９１ｃを中央部に開口している。締結部材である木ねじなどを丸穴９１ｃに挿通し、この木ねじを図示しない窓枠の上面又は天井に締結することで、ブラケット本体９１を図示しない窓枠の上面又は天井に固定できる。又、背面板９１ｖは、丸穴９１ｄを開口している。木ねじなどを丸穴９１ｄに挿通し、この木ねじを図示しない略垂直な壁面に締結することで、ブラケット本体９１を図示しない略垂直な壁面に固定できる。
【００１１】
図１７又は図１８を参照すると、一対の第１折り曲げ片９１１・９１１には、矩形の係止穴９１ｋを開口している。一対の第１折り曲げ片９１１・９１１の間に、スライド部材９２を導入すると、後述する一対のランス９２ｒ・９２ｒが係止穴９１ｋに係合することで、ブラケット本体９１から脱落困難にスライド部材９２を保持できる。又、一対の第１折り曲げ片９１１・９１１は、鉤状の爪部９１ｎを前端部に形成している。
【００１２】
図１７又は図１８を参照すると、スライド部材９２は、硬質の合成樹脂を成形している。スライド部材９２は、上面板９１ｈの内壁及び一対の第１折り曲げ片９１１・９１１の内壁とスライド自在に、ブラケット本体９１の内部に挿入できる。なお、一対の第１折り曲げ片９１１・９１１には、スライド部材９２を抱持できるように、上面板９１ｈに対向する対向片９１３を更に設けている。
【００１３】
図１８を参照すると、スライド部材９２は、相反する向きに向かう一対のランス９２ｒ・９２ｒを側面に有している。一対の第１折り曲げ片９１１・９１１の開口側から、背面板９１ｖに向かって、スライド部材９２をブラケット本体９１の内部に挿入すると、一対のランス９２ｒ・９２ｒを内側に向かって弾性変形できる。そして、一対のランス９２ｒ・９２ｒが係止穴９１ｋに到達すると、一対のランス９２ｒ・９２ｒが弾性復帰することで、ランス９２ｒを係止穴９１ｋに係止できる。
【００１４】
図１７又は図１８を参照すると、スライド部材９２は、可動爪９２ｎを後端部に形成している。スライド部材９２をブラケット本体９１の内部に保持した状態では、可動爪９２ｎは、爪部９１ｎと対向配置されている。又、スライド部材９２は、長穴９２ｈを中央部に開口している（図１８参照）。長穴９２ｈは、ブラケット本体９１を木ねじなどで固定するときに、木ねじとの干渉を回避するためのものである。更に、スライド部材９２は、切り欠き溝９２ｄを後端部に切り欠いている。切り欠き溝９２ｄには、圧縮コイルばね９３が保持されている。
【００１５】
図１７又は図１８を参照すると、圧縮コイルばね９３は、その一端面が切り欠き溝９２ｄの奥壁に当接し、他端面が背面板９１ｖの内壁に当接した状態で、ブラケット本体９１の内部に配置されている。圧縮コイルばね９３は、スライド部材９２をブラケット本体９１から押し出す力を付勢している。
【００１６】
図１７又は図１８を参照して、スライド部材９２をブラケット本体９１の内部に組み込んだ状態では、圧縮コイルばね９３は、スライド部材９２をブラケット本体９１から押し出す力を付勢しているが、ランス９２ｒが係止穴９１ｋに係止しているので、ブラケット本体９１に対してスライド部材９２は静止している。
【００１７】
図１７（Ｂ）を参照して、支持枠としてのヘッドボックス８ａの上部に形成した一方のフランジ８ｆを一対の爪部９１ｎ・９１ｎに係合し、ヘッドボックス８ａを時計方向に回動すると、ヘッドボックス８ａの上部に形成した他方のフランジ８ｆが可動爪９２ｎの前面を押すことで、ブラケット本体９１に対して、スライド部材９２を背面板９１ｖに向かってスライドできる。
【００１８】
図１７（Ａ）を参照して、ヘッドボックス８ａの他方のフランジ８ｆが一対の第１折り曲げ片９１１・９１１の下端縁に当接した状態では、圧縮コイルばね９３の付勢力により、ブラケット本体９１に対して、スライド部材９２が前方にスライドするので、可動爪９２ｎで他方のフランジ８ｆを係止できる。これにより、一対の爪部９１ｎ・９１ｎと可動爪９２ｎでヘッドボックス８ａを支持できる。
【００１９】
一方、ヘッドボックス８ａからブラケット９を取り外すときは、図１７（Ａ）に示した状態から、スライド部材９２の前部に形成した操作ボタン９２ｂを押すことで、一対の爪部９１ｎ・９１ｎと可動爪９２ｎの間隔が拡がり、図１７（Ｂ）に示すように、ヘッドボックス８ａを反時計方向に回動することで、ヘッドボックス８ａからブラケット９を取り外すことができる。
【００２０】
このように、従来技術によるブラインド用ブラケットは、専用の治具を用いることなく、簡単な操作によって、ヘッドボックスに着脱できる。
【００２１】
図１９は、従来技術によるブラインド用ブラケットを用いて、横型ブラインドを傾斜面に取り付けた状態を示す正面図である。
【００２２】
図１９を参照すると、ブラインドＢｎｄは、複数のラダーコードＣｄを介して、複数のスラットＳｔをヘッドボックス８ａから吊り下げている。複数のラダーコードＣｄは、ボトムレールＲｂを下端部に係留している。一対のブラケット９・９は、ヘッドボックス８ａの両端部を支持している。一対のブラケット９・９は、窓枠の上面又は天井などの固定面Ｆｓに固定されている。
【００２３】
図１９を参照すると、従来技術によるブラケット９は、窓枠の上面又は天井などの固定面Ｆｓに固定されているが、固定面Ｆｓが水平面に対して傾斜しているため、ブラインドＢｎｄが傾斜した状態で設置されている。このため、スラットＳｔの片下がりが発生し、スラットＳｔの昇降動作や駆動部品の耐久性能に影響を及ぼす心配があった。
【００２４】
窓枠の上面又は天井などの固定面Ｆｓにブラインド用ブラケットを固定し、固定面Ｆｓが水平面に対して傾斜している場合であっても、ヘッドボックスの水平状態を維持できる、ブラインド用ブラケットが求められていた。これにより、水平を維持した状態でブラインドを設置できる。
【００２５】
図２０は、従来技術によるブラインド用ブラケットを用いて、ロールスクリーンを傾斜面に取り付けた状態を示す正面図である。
【００２６】
図２０を参照すると、ロールスクリーンＳｒは、巻き取りパイプＰｒ、シート状のスクリーンＳｃ、及び、ウェイトバーＷｂを備えている。巻き取りパイプＰｒは、巻き取り機構を内部に備えている。巻き取り機構は、スクリーンＳｃを巻き取ることができ、スクリーンＳｃを引っ張ることで、巻き取り機構からスクリーンＳｃを引き出すことができる。
【００２７】
又、図２０を参照すると、ロールスクリーンＳｒは、一組のブラケット９、支持枠としてのセットフレーム８ｂ、及び、一対のサイドプレートＰｓ・Ｐｓを備えている。一対のサイドプレートＰｓ・Ｐｓは、それらの一端部がセットフレーム８ｂの両端部に固定されている。又、一対のサイドプレートＰｓ・Ｐｓは、それらの他端部が巻き取りパイプＰｒを回転自在に支持している。そして、巻き取りパイプＰｒとセットフレーム８ｂは、それらの長手方向に略平行に配置されている。
【００２８】
図２０を参照すると、一対のブラケット９・９は、セットフレーム８ｂの両端部を支持している。一対のブラケット９・９は、窓枠の上面又は天井などの固定面Ｆｓに固定されている。
【００２９】
図２０を参照すると、従来技術によるブラケット９は、窓枠の上面又は天井などの固定面Ｆｓに固定されているが、固定面Ｆｓが水平面に対して傾斜しているため、ロールスクリーンＳｒが傾斜した状態で設置されている。このため、巻き取りパイプＰｒの一方の回転支持部に、スクリーンＳｃ及びウェイトバーＷｂの荷重が偏在し、スクリーンＳｃに巻き乱れが発生し、巻き取りパイプＰｒの回転支持部の耐久性能に影響を及ぼす心配があった。
【００３０】
窓枠の上面又は天井などの固定面Ｆｓにブラインド用ブラケットを固定し、固定面Ｆｓが水平面に対して傾斜している場合であっても、セットフレームの水平状態を維持できる、ブラインド用ブラケットが求められていた。これにより、水平を維持した状態でロールスクリーンを設置できる。そして、以上のことが本技術の課題といってよい。
【００３１】
本発明は、このような課題に鑑みてなされたものであり、ブラインドなどの遮蔽部材を吊り下げた支持枠を着脱自在に支持すると共に、窓枠の上面又は天井などの固定面に固定するためのブラインド用ブラケットであって、窓枠の上面又は天井などの固定面が傾斜面であっても、ブラインドなどの遮蔽部材の水平状態を維持できるブラインド用ブラケットを提供することを目的とする。
【課題を解決するための手段】
【００３２】
本発明者は、支持枠を係止自在な係止部材と、係止部材と協働して、支持枠を着脱自在に支持するブラケット本体と、固定面に対してブラケット本体の水平度を調整自在な調整装置でブラインド用ブラケットを構成することで、窓枠の上面又は天井などの固定面が傾斜面であっても、ブラインドなどの遮蔽部材の水平状態を維持できると考え、これに基づいて、以下のような新たなブラインド用ブラケットを発明するに至った。
【００３３】
（１）本発明によるブラインド用ブラケットは、ブラインドを少なくとも含む遮蔽部材を吊り下げた支持枠を係止自在な係止部材と、前記係止部材と協働して、前記支持枠を着脱自在に支持するブラケット本体と、窓枠の上面又は天井を含む固定面に対して、前記ブラケット本体の水平度を調整自在な調整装置と、を備えている。
【００３４】
（２）前記調整装置は、前記固定面に対して、前記ブラケット本体の傾斜角度、又は、前記ブラケット本体の離間距離を変更するための操作手段を備えていることが好ましい。
【００３５】
（３）前記調整装置は、前記操作手段の回転運動をねじ部材との螺旋運動により直線運動に変換する単一ねじ機構を備え、前記単一ねじ機構は、中心部を前記ねじ部材の雄ねじ部に固定したダイヤルノブを有し、前記ダイヤルノブを回転することで、前記ブラケット本体に配置された第１部材を前記固定面に配置された第２部材に対して、進退自在又は傾動自在に移動させることが好ましい。
【００３６】
（４）前記調整装置は、前記操作手段の回転運動をねじ部材との螺旋運動により直線運動に変換する単一ねじ機構と、前記単一ねじ機構の直線運動の移動方向を前記直線運動の移動方向と交差する方向に移動させるくさび部材と、を備え、前記くさび部材は、前記ブラケット本体に配置された第１部材を前記固定面に配置された第２部材に対して、進退自在又は傾動自在に移動させることが好ましい。
【００３７】
（５）前記調整装置は、前記第２部材と前記くさび部材が相互に連動する複数の連動機構を備え、これらの連動機構は、前記操作手段を互いに独立して操作できることが好ましい。
【００３８】
（６）前記ブラケット本体と前記調整装置を別体で構成していることが好ましい。
【００３９】
（７）本発明によるブラインド用ブラケットの固定方法は、締結部材を用いて、ブラケット本体、及び、前記ブラケット本体の水平度を調整自在な調整装置を窓枠の上面又は天井を含む固定面に固定する第１工程と、ブラインドを少なくとも含む遮蔽部材を吊り下げた支持枠を、前記ブラケット本体及び係止部材を用いて支持する第２工程と、前記調整装置に備わる操作手段を操作して、前記固定面に対して、前記ブラケット本体の傾斜角度、又は、前記ブラケット本体の離間距離を変更する第３工程と、を含んでいる。
【発明の効果】
【００４０】
本発明によるブラインド用ブラケットは、ブラケット本体に対する調整装置の傾斜角度又は離間距離を調整することで、固定面が水平面に対して傾斜している場合であっても、支持枠を水平状態に支持できるため、ブラインド又はロールスクリーンなどの遮蔽部材を水平状態で設置できる。
【図面の簡単な説明】
【００４１】
【図１】本発明の第１実施形態によるブラインド用ブラケットの構成を示す斜視図であり、図１（Ａ）は、ブラインド用ブラケットに備わる調整装置をブラケット本体から離間した状態図、図１（Ｂ）は、ブラインド用ブラケットに備わる調整装置をブラケット本体に重ねた状態図である。
【図２】第１実施形態によるブラインド用ブラケットの構成を示す図であり、図２（Ａ）は、第１実施形態によるブラインド用ブラケットの正面図、図２（Ｂ）は、第１実施形態によるブラインド用ブラケットの右側面図である。
【図３】第１実施形態によるブラインド用ブラケットの構成を示す縦断面図であり、締結部材を用いて、第１実施形態によるブラインド用ブラケットを窓枠の上面又は天井を含む固定面に固定した状態図である。
【図４】従来技術によるブラインド用ブラケットと第１実施形態によるブラインド用ブラケットを対比した図であり、図４（Ａ）は、従来技術によるブラインド用ブラケットの縦断面図、図４（Ｂ）は、第１実施形態によるブラインド用ブラケットの縦断面図である。
【図５】第１実施形態によるブラインド用ブラケットをヘッドボックスの長手方向の水平面に対して傾斜した固定面に固定した状態を示す図であり、図５（Ａ）は、第１実施形態によるブラインド用ブラケットの正面図、図５（Ｂ）は、第１実施形態によるブラインド用ブラケットの右側面図である。
【図６】第１実施形態によるブラインド用ブラケットをヘッドボックスの長手方向と直交する水平面に対して傾斜した固定面に固定した状態を示す図であり、図６（Ａ）は、第１実施形態によるブラインド用ブラケットの正面図、図６（Ｂ）は、第１実施形態によるブラインド用ブラケットの右側面図である。
【図７】本発明の第２実施形態によるブラインド用ブラケットの構成を示す右側面図である。
【図８】第２実施形態によるブラインド用ブラケットの構成を示す正面図であり、図８（Ａ）は、調整装置に備わる第１部材に対して第２部材を水平状態に配置した状態図、図８（Ｂ）は、調整装置に備わる第１部材に対して第２部材を傾動した状態図である。
【図９】本発明の第３実施形態によるブラインド用ブラケットの構成を示す斜視図であり、図９（Ａ）は、ブラインド用ブラケットに備わる調整装置をブラケット本体から離間した状態図、図９（Ｂ）は、ブラインド用ブラケットに備わる調整装置をブラケット本体に重ねた状態図である。
【図１０】第３実施形態によるブラインド用ブラケットの構成を示す斜視図であり、図１０（Ａ）は、調整装置に備わる第１部材に対して第２部材を第２部材の長手方向と直交する方向に相対的に傾動した状態図、図１０（Ａ）は、調整装置に備わる第１部材に対して第２部材を第２部材の長手方向に相対的に傾動した状態図である。
【図１１】第３実施形態によるブラインド用ブラケットの構成を示す斜視図であり、調整装置に備わる第１部材に対して第２部材を相対的に上昇させた状態図である。
【図１２】発明の第４実施形態によるブラインド用ブラケットの構成を示す図であり、図１２（Ａ）は、第４実施形態によるブラインド用ブラケットの斜視図、図１２（Ｂ）は、第４実施形態によるブラインド用ブラケットの正面図である。
【図１３】第４実施形態によるブラインド用ブラケットの第１の状態変化図であり、図１３（Ａ）は、第１の状態に変化したブラインド用ブラケットの斜視図、図１３（Ｂ）は、第１の状態に変化したブラインド用ブラケットの正面図である。
【図１４】第４実施形態によるブラインド用ブラケットの第２の状態変化図であり、図１４（Ａ）は、第２の状態に変化したブラインド用ブラケットの斜視図、図１４（Ｂ）は、第２の状態に変化したブラインド用ブラケットの正面図である。
【図１５】本発明によるブラインド用ブラケットを用いて、横型ブラインドを傾斜面に取り付けた状態を示す正面図である。
【図１６】本発明によるブラインド用ブラケットを用いて、ロールスクリーンを傾斜面に取り付けた状態を示す正面図である。
【図１７】従来技術によるブラインド用ブラケットの構成を示す左側面図であり、図１７（Ａ）は、ブラケットに対してヘッドボックスを取り付けた状態図、図１７（Ｂ）は、ブラケットからヘッドボックスを取り外す過程の状態図である。
【図１８】従来技術によるブラインド用ブラケットの構成を示す斜視分解組立図である。
【図１９】従来技術によるブラインド用ブラケットを用いて、横型ブラインドを傾斜面に取り付けた状態を示す正面図である。
【図２０】従来技術によるブラインド用ブラケットを用いて、ロールスクリーンを傾斜面に取り付けた状態を示す正面図である。
【発明を実施するための形態】
【００４２】
以下、図面を参照して本発明を実施するための形態を説明する。
［第１実施形態］
（ブラインド用ブラケットの構成）
最初に、本発明の第１実施形態によるブラインド用ブラケットの構成を説明する。
【００４３】
（全体構成）
図１から図６を参照すると、本発明の第１実施形態によるブラインド用ブラケット（以下、ブラケットと略称する）１０は、係止部材となるスライド部材１、ブラケット本体２、及び、調整装置３１を備えている。
【００４４】
図１から図６を参照すると、スライド部材１は、ブラインドＢｎｄを少なくとも含む遮蔽部材を吊り下げた支持部材としてのヘッドボックス８を係止できる（図１５又は図１９参照）。スライド部材１は、可動爪１ｎを後端部に形成している。
【００４５】
図１から図６を参照すると、ブラケット本体２は、スライド部材１の可動爪１ｎと協働して、ヘッドボックス８を着脱自在に支持する一対の鉤状の爪部２１ｎ・２１ｎを前端部に形成している。
【００４６】
図１から図６を参照すると、調整装置３１は、窓枠の上面又は天井を含む固定面Ｆｓに対して、ブラケット本体２の水平度を調整できる。
【００４７】
第１実施形態によるブラケット１０は、ブラケット本体２に対する調整装置３１の傾斜角度又は離間距離を調整することで、固定面Ｆｓが水平面に対して傾斜している場合であっても、ヘッドボックス８を水平状態に支持できるため、ブラインドＢｎｄ又はロールスクリーンＲｓなどの遮蔽部材を水平状態で設置できる（図１５又は図１６参照）。
【００４８】
（ブラケット本体の構成）
次に、実施形態によるブラケット本体２の構成を説明する。図１から図６を参照すると、ブラケット本体２は、折り曲げ加工自在なステンレスなどの金属板からなり、上面板２１ｈと背面板２１ｖを有している。上面板２１ｈと背面板２１ｖは、略直角に折り曲げている。上面板２１ｈは、対向する一対の第１折り曲げ片２１１・２１１で側面を構成している。同様に、背面板２１ｖは、対向する一対の第２折り曲げ片２１２・２１２で側面を構成している。
【００４９】
図１から図４を参照すると、上面板２１ｈは、一組の長穴２１ｃを中央部に開口している（図１（Ａ）参照）。木ねじ又はコンクリートねじなどの締結部材Ｓｗをいずれか一方の長穴２１ｃに挿通し、調整装置３１を介して、締結部材Ｓｗを図示しない窓枠の上面又は天井に締結することで、ブラケット本体２１を図示しない窓枠の上面又は天井に固定できる（図３又は図４（Ｂ）参照）。又、背面板２１ｖは、複数の長穴２１ｄを開口している（図２（Ａ）又は図５（Ａ）参照）。締結部材Ｓｗをいずれか一つ又は全ての長穴２１ｄに挿通し、この木ねじを図示しない略垂直な壁面に締結することで、ブラケット本体２１を図示しない略垂直な壁面に固定できる。
【００５０】
図１（Ａ）又は図２（Ｂ）を参照すると、一対の第１折り曲げ片２１１・２１１には、矩形の係止穴２１ｋを開口している。一対の第１折り曲げ片２１１・２１１の間に、スライド部材１を導入すると、後述する一対のランス１２ｒ・１２ｒが係止穴２１ｋに係合することで、ブラケット本体２から脱落困難にスライド部材１を保持できる。又、一対の第１折り曲げ片２１１・２１１は、鉤状の爪部２１ｎを前端部に形成している。
【００５１】
（スライド部材の構成）
次に、実施形態によるスライド部材１の構成を説明する。図１から図８を参照すると、スライド部材１は、硬質の合成樹脂を成形している。スライド部材１は、上面板２１ｈの内壁及び一対の第１折り曲げ片２１１・２１１の内壁とスライド自在に、ブラケット本体２の内部に挿入できる。なお、一対の第１折り曲げ片２１１・２１１には、スライド部材１を抱持できるように、上面板２１ｈに対向する対向片１１３を更に設けている（図３参照）。
【００５２】
図１（Ａ）又は図２（Ｂ）を参照すると、スライド部材１は、相反する向きに向かう一対のランス１２ｒ・１２ｒを側面に有している。一対の第１折り曲げ片２１１・２１１の開口側から、背面板２１ｖに向かって、スライド部材１をブラケット本体２の内部に挿入すると、一対のランス１２ｒ・１２ｒを内側に向かって弾性変形できる。そして、一対のランス１２ｒ・１２ｒが係止穴２１ｋに到達すると、一対のランス１２ｒ・１２ｒが弾性復帰することで、ランス１２ｒを係止穴２１ｋに係止できる。
【００５３】
図１又は図２及び図５又は図６を参照すると、スライド部材１は、可動爪１ｎを後端部に形成している。スライド部材１をブラケット本体２の内部に保持した状態では、可動爪１ｎは、爪部２１ｎと対向配置されている。又、スライド部材１は、長穴１２ｈを中央部に開口している（図３参照）。図３を参照して、長穴１２ｈは、ブラケット本体２を締結部材Ｓｗで固定するときに、締結部材Ｓｗとの干渉を回避するためのものである。更に、スライド部材１は、切り欠き溝を後端部に切り欠いている。この切り欠き溝には、圧縮コイルばね１ｓが保持されている（図３参照）。
【００５４】
図３を参照すると、圧縮コイルばね１ｓは、その一端面が切り欠き溝の奥壁に当接し、他端面が上面板２１ｈから内部に突出した折り曲げ片に当接した状態で、ブラケット本体２の内部に配置されている。圧縮コイルばね１ｓは、スライド部材１をブラケット本体２から押し出す力を付勢している。
【００５５】
図１又は図２及び図５又は図６を参照して、スライド部材１をブラケット本体２の内部に組み込んだ状態では、圧縮コイルばね１ｓは、スライド部材１をブラケット本体２から押し出す力を付勢しているが、ランス１２ｒが係止穴２１ｋに係止しているので（図１（Ａ）又は図２（Ｂ）参照）、ブラケット本体２に対してスライド部材１は静止している。
【００５６】
図３又は図４（Ｂ）を参照して、圧縮コイルばね１ｓの付勢力に抗して、スライド部材１の前部に形成した操作ボタン１２ｂを押すと、ブラケット本体２に対して、可動爪１ｎが背面板２１ｖに向かうことで、一対の爪部２１ｎ・２１ｎと可動爪１ｎの間隔を拡げることができる。そして、一対の爪部２１ｎ・２１ｎと可動爪１ｎの間に、ヘッドボックス８を導入できる（図１７参照）。
【００５７】
図３又は図４（Ｂ）を参照して、一対の爪部２１ｎ・２１ｎと可動爪１ｎの間に、ヘッドボックス８を導入した状態から（図１７参照）、操作ボタン１２ｂを解放すると、圧縮コイルばね１ｓの付勢力で、一対の爪部２１ｎ・２１ｎと可動爪１ｎが相対的に近づき、ヘッドボックス８を吊り下げ可能に支持できる（図１７参照）。一方、操作ボタン１２ｂを押すと、ブラケット本体２からヘッドボックス８を取り外すことができる。
【００５８】
図１から図６を参照すると、このように、第１実施形態によるブラケット１０は、係止部材となるスライド部材１とブラケット本体２が協働して、ヘッドボックス８を着脱自在に支持できる（図１７参照）。
【００５９】
（調整装置の構成）
次に、第１実施形態による調整装置３１の構成を説明する。図１から図６を参照すると、調整装置３１は、矩形板状の第１部材３１ｆ、矩形の第２部材３１ｍ、及び、四つの操作手段となる円板状のダイヤルノブ３１ｄを備えている。
【００６０】
図１から図３を参照すると、第１部材３１ｆは、ブラケット本体２の上面板２１ｈに載置できる。第１部材３１ｆは、その四隅部にねじ部材３１ｓを回転自在に立設している（図３又は図４（Ｂ）参照）。
【００６１】
図１から図３を参照すると、ダイヤルノブ３１ｄは、その中心部をねじ部材３１ｓの雄ねじ部に固定している（図３又は図４（Ｂ）参照）。ねじ部材３１ｓは、その雄ねじ部が第２部材３１ｍに形成した雌ねじ部ｆｓと螺合している（図３又は図４（Ｂ）参照）。ダイヤルノブ３１ｄを回転すると、ねじ部材３１ｓとの螺旋運動により、第２部材３１ｍを昇降自在な直線運動に変換できる。又、複数のダイヤルノブ３１ｄは、互いに独立して操作できる。
【００６２】
図１から図３を参照すると、このように、ねじ部材３１ｓと第２部材３１ｍは、回転運動をねじ部材との螺旋運動により直線運動に変換する単一ねじ機構を構成している。ダイヤルノブ３１ｄは、固定面Ｆｓに対して、ブラケット本体２の傾斜角度、又は、ブラケット本体２の離間距離を変更するための操作手段を構成しているダイヤルノブ３１ｄは、指などとの滑りを抑制するため、筋目ローレットを外周に形成することが好ましい。
【００６３】
図３又は図４（Ｂ）を参照すると、第２部材３１ｍは、その一方の面を固定面Ｆｓに当接できる。又、図２又は図３を参照すると、第２部材３１ｍは、四角錐台状の凸部３１１を他方の面の中央部から突出している。第２部材３１ｍは、凸部３１１の先端面が第１部材３１ｆの他方の面に近接した状態で配置されている。
【００６４】
図３又は図４（Ｂ）を参照すると、第１部材３１ｆは、締結部材Ｓｗのねじ部を逃げる逃げ穴ｈ１を中央部に開口している。同様に、第２部材３１ｍは、締結部材Ｓｗのねじ部を逃げる逃げ穴ｈ２を中央部に開口している。締結部材Ｓｗを用いて、調整装置３１を介して、ブラケット本体２を固定面Ｆｓに固定できる。
【００６５】
図３に示した状態から、左側に配置されたダイヤルノブ３１ｄを一方の方向に回転すると、ブラケット本体２に配置された第１部材３１ｆを、固定面Ｆｓに配置された第２部材３１ｍに対して、離反する方向に移動できる（図４（Ｂ）参照）。つまり、第２部材３１ｍに対して、第１部材３１ｆを傾動できる。一方、左側に配置されたダイヤルノブ３１ｄを他方の方向に回転すると、第２部材３１ｍに対して、第１部材３１ｆを初期の状態に復帰できる（図３参照）。
【００６６】
図３を参照して、締結部材Ｓｗを用いて、調整装置３１を介して、ブラケット本体２を固定面Ｆｓに比較的緩く固定した状態から、図４（Ｂ）を参照して、奥側に配置された一組のダイヤルノブ３１ｄ・３１ｄを操作して、第２部材３１ｍに向かって第１部材３１ｆを上昇すると共に、手前側に配置された一組のダイヤルノブ３１ｄ・３１ｄを操作して、第２部材３１ｍに対して第１部材３１ｆを下降することで、固定面Ｆｓに配置された第２部材３１ｍに対して、第１部材３１ｆを前後方向に傾動できる。
【００６７】
図４（Ｂ）を参照すると、調整装置３１は、複数のダイヤルノブ３１ｄを操作することで、固定面Ｆｓに配置された第２部材３１ｍに対して、第１部材３１ｆを前後方向に傾動できる。これより、固定面Ｆｓが前後方向に傾斜している場合であって、この傾斜角度を相殺するように、ブラケット本体２を前後方向に水平状態で配置できる。図４（Ａ）に示すように、調整装置３１を介することなく、ブラケット本体２を固定面Ｆｓに直接固定した状態では、固定面Ｆｓが前後方向に傾斜を補正することは困難であった。
【００６８】
図３を参照して、締結部材Ｓｗを用いて、調整装置３１を介して、ブラケット本体２を固定面Ｆｓに比較的緩く固定した状態から、図５（Ａ）を参照して、右側に配置された一組のダイヤルノブ３１ｄ・３１ｄを操作して、第２部材３１ｍに向かって第１部材３１ｆを上昇すると共に、左側に配置された一組のダイヤルノブ３１ｄ・３１ｄを操作して、第２部材３１ｍに対して第１部材３１ｆを下降することで、固定面Ｆｓに配置された第２部材３１ｍに対して、第１部材３１ｆを左右方向に傾動できる。
【００６９】
図５（Ｂ）を参照すると、調整装置３１は、複数のダイヤルノブ３１ｄを操作することで、固定面Ｆｓに配置された第２部材３１ｍに対して、第１部材３１ｆを左右方向に傾動できる。これより、固定面Ｆｓが左右方向に傾斜している場合であっても、この傾斜角度を相殺するように、ブラケット本体２を左右方向に水平状態で配置できる。
【００７０】
このように、第１実施形態によるブラケット１０は、固定面Ｆｓが左右方向に傾斜している場合であっても、ブラケット本体２を左右方向に水平状態で配置できるので、ヘッドボックス８の長手方向に、一対のブラケット１０・１０を取り付けることで、ブラインドＢｎｄを水平状態で配置できる（図１５参照）。
【００７１】
又、第１実施形態によるブラケット１０は、固定面Ｆｓが左右方向に傾斜している場合であっても、ブラケット本体２を左右方向に水平状態で配置できるので、ヘッドボックス８の長手方向に、一対のブラケット１０・１０を取り付けることで、ロールスクリーンＳｒを水平状態で配置できる（図１６参照）。
【００７２】
図１から図６を参照すると、調整装置３１は、固定面Ｆｓに配置された第２部材３１ｍに対して、第１部材３１ｆを傾動できることに限定されない。第１部材３１ｆに対する複数のダイヤルノブ３１ｄの回転量を同じにすることで、固定面Ｆｓに配置された第２部材３１ｍに対して、第１部材３１ｆを適宜な間隔で離間できる。
【００７３】
（ブラインド用ブラケットの作用）
次に、第１実施形態によるブラケット１０の固定方法を説明しながら、ブラケット１０の作用及び効果を説明する。
【００７４】
最初に、図１から図５及び図１５を参照して、締結部材Ｓｗを用いて、ブラケット本体２、及び、ブラケット本体２の水平度を調整自在な調整装置３１を窓枠の上面又は天井を含む固定面Ｆｓに固定する（第１工程）。
【００７５】
次に、図１から図３及び図１５を参照して、ブラインドＢｎｄを少なくとも含む遮蔽部材を吊り下げたヘッドボックス８を、ブラケット本体２及び係止部材１を用いて、支持する（第２工程）。次に、調整装置３１に備わる複数のダイヤルノブ３１ｄを操作して、固定面Ｆｓに対して、ブラケット本体２の傾斜角度、又は、ブラケット本体２の離間距離を変更する（第３工程）。以上で、一連の作業工程を終了する。
【００７６】
図１から図６及び図１５又は図１６を参照すると、第１実施形態によるブラケット１０は、調整装置３１に備わる複数のダイヤルノブ３１ｄを操作することで、ブラケット本体２に対する調整装置３１の傾斜角度又は離間距離を調整できる。これにより、固定面Ｆｓが水平面に対して傾斜している場合であっても、ヘッドボックス８を水平状態に支持できるため、ブラインドＢｎｄ又はロールスクリーンＳｒなどの遮蔽部材を水平状態で設置できる。なお、第１部材３１ｆは、ブラケット本体２の上面板２１ｈと一体的に形成するようにしても良い。
【００７７】
［第２実施形態］
（ブラインド用ブラケットの構成）
次に、本発明の第２実施形態によるブラインド用ブラケットの構成を説明する。
【００７８】
図７又は図８を参照すると、本発明の第２実施形態によるブラインド用ブラケット（以下、ブラケットと略称する）２０は、係止部材となるスライド部材１、ブラケット本体２、及び、調整装置３２を備えている。なお、スライド部材１及びブラケット本体２の構成は、第１実施形態で説明しているので、以下、説明を省略する。
【００７９】
（調整装置の構成）
次に、第２実施形態による調整装置３２の構成を説明する。図７又は図８を参照すると、調整装置３２は、一方の面を開口した箱状の第１部材３２ｆと矩形の第２部材３２ｍを備えている。又、調整装置３２は、四つの操作手段となる送りねじ３２ｓと一対一組のくさび部材３２ｗ・３２ｗを備えている。
【００８０】
図７を参照すると、第１部材３２ｆは、ブラケット本体２の上面板２１ｈに載置できる。第１部材３２ｆは、一対一組の送りねじ３２ｓ・３２ｓを両側面に取り付けている（図８参照）。送りねじ３２ｓは、その首部が第１部材３２ｆの側面に回転自在に取り付けられている。又、送りねじ３２ｓは、第１部材３２ｆの側面から離脱困難に連結している。
【００８１】
図８を参照すると、くさび部材３２ｗは、第１部材３２ｆの内部に配置している。くさび部材３２ｗは、送りねじ３２ｓのねじ部と螺合している。図示しないプラスドライバなどの工具を用いて、送りねじ３２ｓを回転すると、送りねじ３２ｓとの螺旋運動により、くさび部材３２ｗを進退自在な直線運動に変換できる。又、複数の送りねじ３２ｓは、互いに独立して操作できる。
【００８２】
図８を参照すると、このように、送りねじ３２ｓとくさび部材３２ｗは、回転運動をねじ部材との螺旋運動により直線運動に変換する単一ねじ機構を構成している。
【００８３】
図７又は図８を参照すると、第２部材３２ｍは、その一方の面を固定面Ｆｓに当接できる（図３又は図４参照）。又、図８を参照すると、第２部材３２ｍは、四角錐台状の凸部３２１を他方の面の中央部から突出している。第２部材３２ｍは、凸部３２１の先端面が第１部材３２ｆの底面に近接した状態で配置されている。
【００８４】
図８を参照すると、第１部材３２ｆは、締結部材Ｓｗのねじ部を逃げる逃げ穴（図示せず）を中央部に開口している。同様に、第２部材３２ｍは、締結部材Ｓｗのねじ部を逃げる逃げ穴（図示せず）を中央部に開口している。締結部材Ｓｗを用いて、調整装置３２を介して、ブラケット本体２を固定面Ｆｓに固定できる。
【００８５】
図７又は図８を参照して、送りねじ３２ｓを一方の方向に回転すると、くさび部材３２ｗを第１部材３２ｆの側面に向かって後退できる。一方、送りねじ３２ｓを他方の方向に回転すると、くさび部材３２ｗを第１部材３２ｆの中央部に向かって進出できる。
【００８６】
図８を参照すると、くさび部材３２ｗは、斜面３２２を端部に形成している。一方、第２部材３２ｍの凸部３２１は、斜面３２２と摺動自在な斜面を形成している。送りねじ３２ｓを一方の方向に回転すると、くさび部材３２ｗが第１部材３２ｆの側面に向かって後退することで、第２部材３２ｍの一方の端部を下降できる。送りねじ３２ｓを他方の方向に回転すると、くさび部材３２ｗが第１部材３２ｆの中央部に向かって進出することで、第２部材３２ｍの一方の端部を上昇できる。
【００８７】
図８を参照すると、このように、第２実施形態による調整装置３２は、第２部材３２ｍとくさび部材３２ｗが相互に連動する複数の連動機構を備えている。そして、これらの連動機構は、複数の送りねじ３２ｓを互いに独立して操作できる。
【００８８】
図８（Ｂ）を参照して、右側に配置された一組のくさび部材３２ｗ・３２ｗを第１部材３２ｆの側面に向かって後退すると共に、左側に配置された一組のくさび部材３２ｗ・３２ｗを第１部材３２ｆの中央部に向かって進出することで、第１部材３２ｆに対して、第２部材３２ｍを時計方向に傾動できる。
【００８９】
図８を参照すると、調整装置３２は、複数の送りねじ３２ｓを操作することで、第１部材３２ｆに対して、第２部材３２ｍを左右方向に傾動できる。これより、固定面Ｆｓが左右方向に傾斜している場合であっても、この傾斜角度を相殺するように、ブラケット本体２を左右方向に水平状態で配置できる。
【００９０】
このように、第２実施形態によるブラケット２０は、固定面Ｆｓが左右方向に傾斜している場合であっても、ブラケット本体２を左右方向に水平状態で配置できるので、ヘッドボックス８の長手方向に、一対のブラケット２０・２０を取り付けることで、ブラインドＢｎｄを水平状態で配置できる（図１５参照）。
【００９１】
又、第２実施形態によるブラケット２０は、固定面Ｆｓが左右方向に傾斜している場合であっても、ブラケット本体２を左右方向に水平状態で配置できるので、ヘッドボックス８の長手方向に、一対のブラケット２０・２０を取り付けることで、ロールスクリーンＳｒを水平状態で配置できる（図１６参照）。
【００９２】
図７又は図８を参照すると、調整装置３２は、第１部材３２ｆに対して、第２部材３２ｍを傾動できることに限定されない。複数の送りねじ３２ｓの送り量を同じにすることで、第１部材３２ｆに対して、第２部材３２ｍを適宜な間隔で離間できる。
【００９３】
（ブラインド用ブラケットの作用）
次に、第２実施形態によるブラケット２０の作用及び効果を説明する。図７又は図８及び図１５又は図１６を参照すると、第２実施形態によるブラケット２０は、調整装置３２に備わる複数の送りねじ３２ｓを操作することで、ブラケット本体２に対する調整装置３２の傾斜角度又は離間距離を調整できる。これにより、固定面Ｆｓが水平面に対して傾斜している場合であっても、ヘッドボックス８を水平状態に支持できるため、ブラインドＢｎｄ又はロールスクリーンＳｒなどの遮蔽部材を水平状態で設置できる。
【００９４】
第１実施形態によるブラケット１０と第２実施形態によるブラケット２０を対比すると、第１実施形態によるブラケット１０は、第２部材３１ｍに対して、第１部材３１ｆを前後方向又は左右方向に傾動できるのに対し、第２実施形態によるブラケット２０は、第２部材３２ｍに対して、第１部材３２ｆを左右方向のみ傾動できるという違いがある。
【００９５】
［第３実施形態］
（ブラインド用ブラケットの構成）
次に、本発明の第３実施形態によるブラインド用ブラケットの構成を説明する。
【００９６】
図９から図１１を参照すると、本発明の第３実施形態によるブラインド用ブラケット（以下、ブラケットと略称する）３０は、係止部材となるスライド部材１、ブラケット本体２、及び、調整装置３３を備えている。なお、スライド部材１及びブラケット本体２の構成は、第１実施形態で説明しているので、以下、説明を省略する。
【００９７】
（調整装置の構成）
次に、第３実施形態による調整装置３３の構成を説明する。図７又は図８を参照すると、調整装置３２は、一方の面を開口した箱状の第１部材３３ｆと矩形の第２部材３３ｍを備えている。又、調整装置３２は、第１部材３３ｆの各側面に設けられる四つの操作手段となる送りねじ３３ｓと一対一組のくさび部材（図示せず）を備えている。
【００９８】
図９を参照すると、第１部材３３ｆは、ブラケット本体２の上面板２１ｈに載置できる。第１部材３２ｆは、一対一組の送りねじ３２ｓ・３２ｓを両側面及び前後面に取り付けている。送りねじ３３ｓは、その首部が第１部材３２ｆの側面及び前後面に回転自在に取り付けられている。又、送りねじ３３ｓは、第１部材３２ｆの側面及び前後面から離脱困難に連結している。
【００９９】
図９から図１１を参照すると、図示しないくさび部材は、第１部材３３ｆの内部に配置している。これらのくさび部材は、送りねじ３３ｓのねじ部と螺合している。図示しないプラスドライバなどの工具を用いて、送りねじ３３ｓを回転すると、送りねじ３３ｓとの螺旋運動により、くさび部材を進退自在な直線運動に変換できる。又、複数の送りねじ３３ｓは、互いに独立して操作できる。
【０１００】
図９から図１１を参照すると、このように、送りねじ３３ｓと図示しないくさび部材は、回転運動をねじ部材との螺旋運動により直線運動に変換する単一ねじ機構を構成している。
【０１０１】
図９から図１１を参照すると、第２部材３３ｍは、その一方の面を固定面Ｆｓに当接できる（図３又は図４参照）。又、第２部材３３ｍは、四角錐台状の凸部（図示せず）を他方の面の中央部から突出している。第２部材３３ｍは、図示しない凸部の先端面が第１部材３３ｆの底面に近接した状態で配置されている。
【０１０２】
図９から図１１を参照すると、第１部材３３ｆは、締結部材Ｓｗのねじ部を逃げる逃げ穴（図示せず）を中央部に開口している。同様に、第２部材３３ｍは、締結部材Ｓｗのねじ部を逃げる逃げ穴３３ｈを中央部に開口している。締結部材Ｓｗを用いて、調整装置３３を介して、ブラケット本体２を固定面Ｆｓに固定できる（図３又は図４参照）。
【０１０３】
図９から図１１を参照して、送りねじ３３ｓを一方の方向に回転すると、図示しないくさび部材を第１部材３３ｆの側面に向かって後退できる。一方、送りねじ３３ｓを他方の方向に回転すると、図示しないくさび部材を第１部材３３ｆの中央部に向かって進出できる。
【０１０４】
図８を類照すると、図示しないくさび部材は、斜面を端部に形成している。一方、第２部材３３ｍの凸部は、くさび部材の斜面と摺動自在な斜面を形成している。送りねじ３３ｓを一方の方向に回転すると、くさび部材が第１部材３３ｆの側面に向かって後退することで、第２部材３３ｍの一方の端部を下降できる。送りねじ３３ｓを他方の方向に回転すると、くさび部材が第１部材３３ｆの中央部に向かって進出することで、第２部材３３ｍの一方の端部を上昇できる。
【０１０５】
図９から図１１を参照すると、このように、第３実施形態による調整装置３３は、第２部材３３ｍと図示しないくさび部材が相互に連動する複数の連動機構を備えている。そして、これらの連動機構は、複数の送りねじ３３ｓを互いに独立して操作できる。
【０１０６】
図１０（Ａ）を参照して、第１部材３３ｆの左側に配置された一組のくさび部材を第１部材３３ｆの側面に向かって後退すると共に、第１部材３３ｆの右側に配置された一組のくさび部材を第１部材３３ｆの中央部に向かって進出することで、第１部材３２ｆに対して、固定面Ｆｓに配置された第２部材３３ｍを反時計方向に傾動できる。
【０１０７】
図１０（Ａ）を参照すると、調整装置３３は、複数の送りねじ３３ｓを操作することで、第１部材３２ｆに対して、固定面Ｆｓに配置された第２部材３３ｍを左右方向に傾動できる。これより、固定面Ｆｓが左右方向に傾斜している場合であっても、この傾斜角度を相殺するように、ブラケット本体２を左右方向に水平状態で配置できる。
【０１０８】
このように、第３実施形態によるブラケット３０は、固定面Ｆｓが左右方向に傾斜している場合であっても、ブラケット本体２を左右方向に水平状態で配置できるので、ヘッドボックス８の長手方向に、一対のブラケット３０・３０を取り付けることで、ブラインドＢｎｄを水平状態で配置できる（図１５参照）。
【０１０９】
又、第３実施形態によるブラケット３０は、固定面Ｆｓが左右方向に傾斜している場合であっても、ブラケット本体２を左右方向に水平状態で配置できるので、ヘッドボックス８の長手方向に、一対のブラケット３０・３０を取り付けることで、ロールスクリーンＳｒを水平状態で配置できる（図１６参照）。
【０１１０】
図１０（Ｂ）を参照して、第１部材３３ｆの奥側に配置された一組のくさび部材を第１部材３３ｆの側面に向かって後退すると共に、第１部材３３ｆの手前側に配置された一組のくさび部材を第１部材３３ｆの中央部に向かって進出することで、第１部材３３ｆに対して、固定面Ｆｓに配置された第２部材３３ｍを前後方向に傾動できる。
【０１１１】
図１０を参照すると、調整装置３３は、第１部材３３ｆに対して、固定面Ｆｓに配置された第２部材３３ｍを傾動できることに限定されない。複数の送りねじ３３ｓの送り量を同じにすることで、第１部材３３ｆに対して、固定面Ｆｓに配置された第２部材３３ｍを適宜な間隔で離間できる。
【０１１２】
（ブラインド用ブラケットの作用）
次に、第３実施形態によるブラケット２０の作用及び効果を説明する。図９から図１１及び図１５又は図１６を参照すると、第３実施形態によるブラケット３０は、調整装置３３に備わる複数の送りねじ３３ｓを操作することで、ブラケット本体２に対する調整装置３３の傾斜角度又は離間距離を調整できる。これにより、固定面Ｆｓが水平面に対して傾斜している場合であっても、ヘッドボックス８を水平状態に支持できるため、ブラインドＢｎｄ又はロールスクリーンＳｒなどの遮蔽部材を水平状態で設置できる。
【０１１３】
［第４実施形態］
（ブラインド用ブラケットの構成）
次に、本発明の第４実施形態によるブラインド用ブラケットの構成を説明する。
【０１１４】
図１２から図１４を参照すると、本発明の第４実施形態によるブラインド用ブラケット（以下、ブラケットと略称する）４０は、係止部材となるスライド部材１、ブラケット本体２、及び、調整装置３４を備えている。なお、スライド部材１及びブラケット本体２の構成は、第１実施形態で説明しているので、以下、説明を省略する。
【０１１５】
（調整装置の構成）
次に、第４実施形態による調整装置３４の構成を説明する。図１２から図１４を参照すると、調整装置３４は、矩形板状の第１部材３４ｆと四つの帯板状の第２部材３４ｍを備えている。又、調整装置３４は、四つの操作手段となる円板状のダイヤルノブ３４ｄと四つの送りねじ３４ｓを備えている。
【０１１６】
図１２から図１４を参照すると、第１部材３４ｆは、ブラケット本体２の上面板２１ｈに載置できる。第１部材３４ｆは、送りねじ３４ｓを四隅部に立設している。第１部材３４ｆは、送りねじ３４ｓの基端部と回転自在に連結しているが、送りねじ３４ｓを脱落困難に保持している。
【０１１７】
又、図１２から図１４を参照すると、第１部材３４ｆは、一対の案内ブロック３４１・３４１を上面から突出している。これらの案内ブロック３４１・３４１は、矩形に切り欠いた切り欠き部を有している。これらの切り欠き部は、第２部材３４ｍを回転困難に互いに独立して昇降自在に案内できる。
【０１１８】
図１２から図１４を参照すると、第２部材３４ｍは、雌ねじ部ｆｓを中央部に設けている。雌ねじ部ｆｓは、送りねじ３４ｓと螺合している。又、ダイヤルノブ３４ｄは、その中心部が送りねじ３４ｓの基端部側に固定されている。ダイヤルノブ３４ｄと送りねじ３４ｓは、一体となって回転できる。ダイヤルノブ３４ｄを回転すると、送りねじ３４ｓとの螺旋運動により、第２部材３４ｍを昇降自在な直線運動に変換できる。又、複数のダイヤルノブ３４ｄは、互いに独立して操作できる。
【０１１９】
図１２から図１４を参照すると、このように、第２部材３４ｍとダイヤルノブ３４ｄは、ダイヤルノブ３４ｄの回転運動を送りねじ３４ｓとの螺旋運動により直線運動に変換する単一ねじ機構を構成している。ダイヤルノブ３４ｄは、指などとの滑りを抑制するため、筋目ローレットを外周に形成することが好ましい。
【０１２０】
図１２から図１４を参照すると、第１部材３４ｆは、締結部材Ｓｗのねじ部を逃げる逃げ穴３４ｈを中央部に開口している（図３又は図４（Ｂ）参照）。締結部材Ｓｗを用いて、調整装置３４を介して、ブラケット本体２を固定面Ｆｓに固定できる。
【０１２１】
図１２から図１４を参照して、ダイヤルノブ３４ｄを一方の方向に回転すると、第２部材３４ｍを第１部材３４ｆに向かって下降できる。一方、ダイヤルノブ３４ｄを他方の方向に回転すると、第２部材３４ｍを第１部材３４ｆから離反する方向に上昇できる。
【０１２２】
図１３を参照すると、正面から見て右側に配置された一組のダイヤルノブ３４ｄ・３４ｄを一方の方向に回転し、右側に配置された一組の第２部材３４ｍ・３４ｍが第１部材３４ｆに向かって下降している。一方、正面から見て左側に配置された一組のダイヤルノブ３４ｄ・３４ｄを他方の方向に回転し、左側に配置された一組の第２部材３４ｍ・３４ｍが第１部材３４ｆから離反する方向に上昇している。
【０１２３】
図１３を参照すると、調整装置３４は、複数のダイヤルノブ３４ｄを操作することで、第１部材３４ｆに対して、第２部材３４ｍの左右の上昇量を異ならせることで、固定面Ｆｓに対して第１部材３４ｆを左右方向に相対的に傾動できる。これより、固定面Ｆｓが左右方向に傾斜している場合であっても、この傾斜角度を相殺するように、ブラケット本体２を左右方向に水平状態で配置できる。
【０１２４】
このように、第４実施形態によるブラケット４０は、固定面Ｆｓが左右方向に傾斜している場合であっても、ブラケット本体２を左右方向に水平状態で配置できるので、ヘッドボックス８の長手方向に、一対のブラケット４０・４０を取り付けることで、ブラインドＢｎｄを水平状態で配置できる（図１５参照）。
【０１２５】
又、第４実施形態によるブラケット４０は、固定面Ｆｓが左右方向に傾斜している場合であっても、ブラケット本体２を左右方向に水平状態で配置できるので、ヘッドボックス８の長手方向に、一対のブラケット４０・４０を取り付けることで、ロールスクリーンＳｒを水平状態で配置できる（図１６参照）。
【０１２６】
図１４を参照すると、奥側に配置された一組のダイヤルノブ３４ｄ・３４ｄを一方の方向に回転し、奥側に配置された一組の第２部材３４ｍ・３４ｍが第１部材３４ｆに向かって下降している。一方、手前側に配置された一組のダイヤルノブ３４ｄ・３４ｄを他方の方向に回転し、手前側に配置された一組の第２部材３４ｍ・３４ｍが第１部材３４ｆから離反する方向に上昇している。
【０１２７】
図１４を参照すると、調整装置３４は、複数のダイヤルノブ３４ｄを操作することで、第１部材３４ｆに対して、第２部材３４ｍの前後の上昇量を異ならせることで、固定面Ｆｓに対して第１部材３４ｆを前後方向に相対的に傾動できる。これより、固定面Ｆｓが前後方向に傾斜している場合であっても、この傾斜角度を相殺するように、ブラケット本体２を前後方向に水平状態で配置できる。
【０１２８】
図１２から図１４を参照すると、調整装置３４は、第１部材３４ｆに対して、第２部材３４ｍを相対的に傾動できることに限定されない。第１部材３１ｆに対する複数のダイヤルノブ３４ｄの上昇量を同じにすることで、第１部材３４ｆに対して、第２部材３４ｍを適宜な間隔で離間できる。
【０１２９】
（ブラインド用ブラケットの作用）
次に、第４実施形態によるブラケット２０の作用及び効果を説明する。
【０１３０】
図１２から図１６を参照すると、第４実施形態によるブラケット４０は、調整装置３４に備わる複数のダイヤルノブ３４ｄを操作することで、ブラケット本体２に対する調整装置３４の傾斜角度又は離間距離を調整できる。これにより、固定面Ｆｓが水平面に対して傾斜している場合であっても、ヘッドボックス８を水平状態に支持できるため、ブラインドＢｎｄ又はロールスクリーンＳｒなどの遮蔽部材を水平状態で設置できる。
【０１３１】
本発明によるブラインド用ブラケットは、以下の効果を奏することができる。
（１）ブラケット本体に対する調整装置の傾斜角度又は高さを調整することで、固定面の水平度が維持されていない場合であっても、ブラケット本体を水平に固定することができるため、ブラインドの水平を維持した状態で設置できる。
（２）操作手段を操作することで調整装置の傾斜角度又は高さを調整でき、ブラケット本体を固定面に合わせた状態を目視での調整が可能となるため、ブラケットの高さや角度の調整が容易となる。
（３）操作手段の回転操作を第２部材の昇降動作に変換しているので、調整量が把握し易くなり、その微調整も容易となる。
（４）連動機構を複数設け、独立して調整可能とすることで、ブラケット本体の傾斜角度や高さ設定の自由度に幅を持たせることができる。
【符号の説明】
【０１３２】
１  スライド部材（係止部材）
１ｎ  可動爪
２  ブラケット本体
８ａ  ヘッドボックス（支持枠）
１０  ブラケット（ブラインド用ブラケット）
２１ｎ・２１ｎ  一対の爪部
３１  調整装置
３１ｄ  ダイヤルノブ
３１ｆ  第１部材
３１ｍ  第２部材
３１ｓ  ねじ部材
Ｆｓ  固定面
Ｂｎｄ  ブラインド
【図１】
2019132006.tif 000003
【図２】
2019132006.tif 000004
【図３】
2019132006.tif 000005
【図４】
2019132006.tif 000006
【図５】
2019132006.tif 000007
【図６】
2019132006.tif 000008
【図７】
2019132006.tif 000009
【図８】
2019132006.tif 000010
【図９】
2019132006.tif 000011
【図１０】
2019132006.tif 000012
【図１１】
2019132006.tif 000013
【図１２】
2019132006.tif 000014
【図１３】
2019132006.tif 000015
【図１４】
2019132006.tif 000016
【図１５】
2019132006.tif 000017
【図１６】
2019132006.tif 000018
【図１７】
2019132006.tif 000019
【図１８】
2019132006.tif 000020
【図１９】
2019132006.tif 000021
【図２０】
2019132006.tif 000022